(57)【特許請求の範囲】
【請求項１】
被写体の光学像を撮像し画像データを出力する撮像手段と、
当該撮像手段からの画像データを圧縮する画像圧縮手段と、
特殊効果を指定する特殊効果指定手段と、
当該画像圧縮手段からの圧縮画像データと、当該特殊効果指定手段で指定された特殊効果を指定する特殊効果情報とを記録媒体に記録する記録手段と、
当該特殊効果指定手段により所定の特殊効果が指定されることに応じて、当該撮像手段の撮像フレームレート及び当該画像圧縮手段における圧縮率の少なくとも１つを変更する制御手段
とを具備し、
当該所定の特殊効果が画像に粒子状のノイズを付加するフィルムグレイン処理である
ことを特徴とする撮像装置。
【請求項２】
当該制御手段は、当該画像圧縮手段における圧縮率を、当該フィルムグレイン処理が指定されないときよりも低くすることを特徴とする請求項１に記載の撮像装置。
【請求項３】
当該制御手段は、当該撮像手段の撮像フレームレートを、当該フィルムグレイン処理が指定されないときよりも低くすることを特徴とする請求項１又は２に記載の撮像装置。
【請求項４】
当該制御手段は、当該撮像手段の撮像フレームレートを２４フレーム／秒に変更することを特徴とする請求項１乃至３のいずれか１項に記載の撮像装置。
【請求項５】
被写体の光学像を撮像し画像データを出力する撮像手段と、
当該撮像手段からの画像データを圧縮する画像圧縮手段と、
特殊効果として画像にフィルムグレイン処理を付加することを指定する特殊効果指定手段と、
当該特殊効果指定手段による指定がなされた場合、当該画像圧縮手段における圧縮率を、当該指定がなされないときよりも低くする制御手段
とを具備することを特徴とする撮像装置。
【発明の詳細な説明】
【技術分野】
【０００１】
本発明は、撮像装置に関し、より具体的には、再生時の特殊効果を設定可能な撮像装置に関する。
【背景技術】
【０００２】
従来、ＭＰＥＧ又はＭｏｔｉｏｎ  ＪＰＥＧ等の圧縮方式を利用し、圧縮画像データを記録媒体に記録するビデオカメラが知られている。また、撮影時に、特殊効果を示す付加情報を画像データと一緒に記録媒体に記録し、再生時には、この付加情報に基づき、再生画像に特殊効果を施して出力するビデオカメラも知られている（特許文献１参照）。
【０００３】
また、画像に施す特殊効果として、画像にフィルム特有の細かな粒子状のノイズを付加し、あたかも映画用フィルムカメラで撮影したかのような画像処理が知られている（特許文献２）。この画像処理は、一般にフィルムグレイン処理と呼ばれる。フィルムグレイン処理で画像に付加されるフィルム特有の細かな粒子状のノイズ成分は、フィルムグレイン成分と呼ばれる。
【特許文献１】特開平１１−２０５７５４号公報
【特許文献２】特許第３１１０７６３号
【発明の開示】
【発明が解決しようとする課題】
【０００４】
画像データを圧縮記録する従来のビデオカメラでは、高圧縮率で画像データを記録すると、再生画像に妨害ノイズ（モスキートノイズ、ブロックノイズ）が多く発生してしまう。妨害ノイズが発生した再生画像にフィルムグレイン成分を付加すると、妨害ノイズ成分とフィルムグレイン成分が重なってしまい見苦しい画像になる場合があった。
【０００５】
これに対して、記録時の圧縮率を低くすると、妨害ノイズが少なくなり、フィルムグレイン処理の効果が顕著になるが、記録データ量が増し、記録媒体の記録容量を消費してしまう。
【０００６】
また、特殊効果として、画像を微小な矩形領域で平均化するモザイク処理がある。モザイク処理では、矩形領域内の高周波分が失われるので、その矩形領域に対して高圧縮率で画像を記録し、再生画像に妨害ノイズが出現したとしても、支障ない。即ち、モザイク処理が予定されている場合、記録時の圧縮率を高くすることができる。
【０００７】
さらに、これらの問題を避けるため、ユーザは、再生画像に施す特殊効果に応じて、記録時の圧縮率を手動で設定又は変更しており、撮影時の負担になっていた。
【０００８】
そこで、本発明は、上記のような問題点に鑑み、特殊効果に応じて記録条件を自動設定する撮像装置を提示することを目的とする。
【課題を解決するための手段】
【０００９】
上記の目的を達成するために、本発明に係る撮像装置は、被写体の光学像を撮像し画像データを出力する撮像手段と、当該撮像手段からの画像データを圧縮する画像圧縮手段と、特殊効果を指定する特殊効果指定手段と、当該画像圧縮手段からの圧縮画像データと、当該特殊効果指定手段で指定された特殊効果を指定する特殊効果情報とを記録媒体に記録する記録手段と、当該特殊効果指定手段により所定の特殊効果が指定されることに応じて、当該撮像手段の撮像フレームレート及び当該画像圧縮手段における圧縮率の少なくとも１つを変更する制御手段とを具備し、当該所定の特殊効果が画像に粒子状のノイズを付加するフィルムグレイン処理であることを特徴とする。
本発明に係る撮像装置は、被写体の光学像を撮像し画像データを出力する撮像手段と、当該撮像手段からの画像データを圧縮する画像圧縮手段と、特殊効果として画像にフィルムグレイン処理を付加することを指定する特殊効果指定手段と、当該特殊効果指定手段による指定がなされた場合、当該画像圧縮手段における圧縮率を、当該指定がなされないときよりも低くする制御手段とを具備することを特徴とする。
【発明の効果】
【００１０】
本発明によれば、フィルムグレイン処理の特殊効果が指定されることに応じて、圧縮率及びフレームレートの少なくとも一方を変更して、画像を記録するので、特殊効果の効果を高めつつ、より効率的に記録媒体を使用できる。
【発明を実施するための最良の形態】
【００１１】
以下、図面を参照して、本発明の実施例を詳細に説明する。
【００１２】
図１は、本発明の一実施形態に係るビデオカメラの概略構成ブロック図である。図１において、ビデオカメラ１０は、カムコーダ、デジタルカメラ又は民放用のカメラ等である。ビデオカメラ１０は、撮像部１２、圧縮部１４、操作部１６、システム制御回路１８、記録再生部２０、記録媒体２２、伸長部２４、特殊効果処理部２６及び表示部２８を具備する。表示部２８の代わりに、外部の表示装置を使用してもよい。
【００１３】
撮像部１２はＣＣＤセンサまたはＣＭＯＳセンサを具備し、被写体の光学像を画像信号に変換する。圧縮部１４はＭＰＥＧ２等の動画圧縮方式により、撮像部１２からの画像信号を圧縮し、圧縮画像データを生成する。
【００１４】
操作部１６は、フィルムグレイン処理を指示するフィルムグレインスイッチ（不図示）、モザイク処理を行うモザイクスイッチ（不図示）、及びこれら以外の特殊効果処理を指示するスイッチを具備する。また、ユーザは、操作部１６により、圧縮率の変更を、「高」、「低」又は数値でシステム制御回路１８に指示できる。図示していないが、操作部１６は、記録された動画像の再生を指示する再生スイッチ（不図示）、動画像の再生を停止する停止スイッチ（不図示）、動画像の記録／停止を指示する記録スイッチ（不図示）等も備えている。
【００１５】
システム制御回路１８は、撮像部１２のカメラ制御、圧縮部１４の圧縮制御、特殊効果処理部２６の特殊効果制御、及びビデオカメラ１０全体の制御を司る。図１では、各制御信号を破線で図示し、画像データを実線で示している。
【００１６】
記録再生部２０は、圧縮部１４からの圧縮画像データを記録媒体２２に転送する。また、記録再生部２０は、システム制御回路１８からの特殊効果に関する制御信号（特殊効果情報）を記録媒体２２に転送する。すなわち、記録再生部２０は、圧縮画像データと特殊効果情報を一体に記録媒体２２に記録する。記録媒体２２は、例えば、ハードディスク、光ディスク、光磁気ディスク、磁気テープ、又は不揮発性のメモリカード等である。
【００１７】
伸長部２４は、記録媒体２２から読み出された圧縮画像データを伸長し、元の画像データを復元する。特殊効果処理部２６は、記録媒体２２から読み出された特殊効果情報に従い、伸長部２４で復元された画像信号に特殊効果を施す。施すべき特殊効果が無い場合、特殊効果処理部２６は、伸長部２４からの画像信号を表示部２８にスルーする。表示部２８は、特殊効果処理部２６で特殊効果を施された再生画像、又はスルーされた再生画像を表示する。
【００１８】
次に、図２を用いて、本実施例の記録動作を説明する。図２は、本実施例の記録時の動作フローチャートである。
【００１９】
操作部１６の記録スイッチが押下されると、システム制御回路１８は、特殊効果処理の要求があったか否かを判別する（Ｓ１０）。
【００２０】
フィルムグレインスイッチが押下されると（Ｓ１１）、システム制御回路１８は、圧縮部１４に所定の低圧縮率を設定し（Ｓ１２）、撮像部１２のフレームレートをデフォルトの３０フレーム／秒から２４フレーム／秒に変更する（Ｓ１３）。
【００２１】
また、特殊効果としてモザイク処理が選択された場合、具体的には、モザイクスイッチが押下された場合（Ｓ１５）、システム制御回路１８は、圧縮部１４に所定の高圧縮率を設定し（Ｓ１６）、撮像部１２のフレームレートを３０フレーム／秒に設定する（Ｓ１７）。
【００２２】
特殊効果処理要求が無い場合には（Ｓ１０）、ユーザは、任意の圧縮率を選択可能であり、システム制御回路１８は、ユーザにより指定された圧縮率を圧縮部１４に設定する（Ｓ１８）。そして、システム制御回路１８は、撮像部１２のフレームレートを３０フレーム／秒に設定する（Ｓ１７）。
【００２３】
記録開始の指示に従い、撮像部１２は、設定されたフレームレートで被写体を撮影し、圧縮部１４は、設定された圧縮率で撮像部１２からの画像データを圧縮する。記録再生部２０は、圧縮部１４からの圧縮画像データと、システム制御回路１８からの特殊効果情報を、図３に示すような記録形式で一体に記録媒体２２に記録する（Ｓ１４）。特殊効果情報は、例えば、画像データのフレーム又はフィールド毎に付加情報として埋め込まれる。特殊効果処理要求が無い場合、特殊効果情報は、空白又はＮＵＬＬである。
【００２４】
即ち、フィルムグレイン処理の場合、撮像部１２は、２４フレーム／秒で被写体を撮影し、圧縮部１４は、設定された低圧縮率で撮像部１２からの画像データを圧縮する。システム制御回路１８は、フィルムグレイン処理を示す情報を特殊効果情報として記録再生部２０に供給する。記録再生部２０は、圧縮部１４からの、２４フレーム／秒で低圧縮率の圧縮画像データと、システム制御回路１８からの特殊効果情報を、図３に示すような記録形式で一体に記録媒体２２に記録する。
【００２５】
モザイク処理の場合、撮像部１２は、３０フレーム／秒で被写体を撮影し、圧縮部１４は、設定された高圧縮率で撮像部１２からの画像データを圧縮する。システム制御回路１８は、モザイク処理を示す情報を特殊効果情報として記録再生部２０に供給する。記録再生部２０は、圧縮部１４からの、３０フレーム／秒で高圧縮率の圧縮画像データと、システム制御回路１８からの特殊効果情報を、図３に示すような記録形式で一体に記録媒体２２に記録する。
【００２６】
特殊効果処理の要求がない場合又はキャンセルされた場合、撮影条件又は記録条件は、ユーザの設定した圧縮率又はデフォルトの圧縮率で、３０フレーム／秒での撮影になる。
【００２７】
次に、図４を用いて、再生動作を説明する。図４は、本実施例の再生動作のフローチャートである。
【００２８】
再生スイッチが押下されたか否かを判別する（Ｓ２０）。再生スイッチが押下されないと（Ｓ２０）、再生スイッチが押下されるまで待つ。再生スイッチが押下されると（Ｓ２０）、システム制御回路１８は、記録再生部２０に指示して、記録媒体２２から圧縮画像データを伸長部２４に、特殊効果情報を特殊効果処理部２６に読み出させる（Ｓ２１）。
【００２９】
伸長部２４は、記録再生部２０からの圧縮画像データを伸長する。特殊効果処理部２６は、読み出された特殊効果情報に基づき、伸長部２４からの復元画像信号に特殊効果を施す。具体的には、フィルムグレイン処理の場合（Ｓ２３）、特殊効果処理部２６は、ランダムノイズ又はガウシアンノイズ等を伸長部２４からの復元画像信号に重畳する（Ｓ２４）。モザイク処理の場合（Ｓ２６）、特殊効果処理部２６は、復元画像信号の対象部分を微小な矩形領域で平均化する（Ｓ２７）。フィルムグレイン処理でも、モザイク処理でもない場合、即ち、特殊効果が不要な場合に（Ｓ２６）、特殊効果処理部２６は、復元画像信号をスルーする（Ｓ２８）。
【００３０】
ステップＳ２４，Ｓ２７，Ｓ２８で処理された画像信号が表示部２８に印加され、表示される（Ｓ２５）。
【００３１】
なお、本実施例では、フィルムグレイン処理やモザイク処理を挙げて説明したが、特殊効果はこれに限らない。例えば、オートフェード（白フェード）があり、画像が徐々に白くなっていくオートフェード（白フェード）がある。このオートフェードに対しては、記録時に画像の圧縮率を高く設定する。また、オートフェードの他に、ワイプ、オーバーラップ等のフェーダー機能もある。
【００３２】
本実施例では、フィルムグレイン処理に対して圧縮率とフレームレートの両方を変更したが、どちらか一方だけを変更するようにしてもよい。
【００３３】
さらに、圧縮部１４は、撮像部１２からの２４フレーム／秒の撮影画像を、２：３プルダウン方式（図５）又は２：３：３：２プルダウン方式（図６）で６０フィールド／秒のＮＴＳＣ信号に変換してから、圧縮してもよい。
【００３４】
他方、圧縮部１４の圧縮方式としてＨ．２６４方式を用いる場合、Ｈ．２６４方式に備えられているデブロッキングフィルタをフィルムグレイン処理に利用できる。
【００３５】
圧縮部１４以降の処理は、コンピュータで代替可能である。コンピュータ上で上記各機能を実現するソフトウエアのプログラムコードは、本発明の主要な一部を構成する。
【００３６】
このように、本実施例によれば、フィルムグレイン処理に対して撮影画像を低圧縮率で圧縮記録するので、画像中のブロックノイズ又はモスキートノイズを少なくすることができ、より効果的なフィルムグレイン処理が行える。モザイク処理に対しては、撮影画像の圧縮率を高く制御することで、より効果的に記録媒体２２の容量を使用することができる。さらに、撮像部のフレームレートを２４フレームレート／秒に制御することにより、フィルムグレインの効果を高めることができ、映画と同等の映像も楽しむことができる。
【図面の簡単な説明】
【００３７】
【図１】本発明の一実施例の概略構成ブロック図である。
【図２】本実施例の記録動作のフローチャートである。
【図３】特殊効果情報と圧縮画像データの記録フォーマットの模式図である。
【図４】本実施例の再生動作のフローチャートである。
【図５】２：３プルダウン方式のイメージ図である。
【図６】２：３：３：２プルダウン方式のイメージ図である。
【符号の説明】
【００３８】
１０  ビデオカメラ
１２  撮像部
１４  圧縮部
１６  操作部
１８  システム制御回路
２０  記録再生部
２２  記録媒体
２４  伸長部
２６  特殊効果処理部
２８  表示部
【図１】
0004582648.tif 000002
【図２】
0004582648.tif 000003
【図３】
0004582648.tif 000004
【図４】
0004582648.tif 000005
【図５】
0004582648.tif 000006
【図６】
0004582648.tif 000007